(57)【特許請求の範囲】
【請求項１】
遊技機の前面側に押圧操作可能に設けられたボタン押圧部を備えるボタン操作機構であって、
前記ボタン押圧部は、押圧操作に応じて支持本体部に対して往復移動可能であり、
前記支持本体部は、モータからの動力を受けて駆動する駆動部によって附勢されて前記遊技機から突出入する方向に移動し、
前記駆動部は、前記モータから受ける回転運動を、前記支持本体部を前記遊技機に対して突出入方向に移動させる直線運動に変換する変換機構を有し、
前記ボタン押圧部は、前記支持本体部の後退方向の移動により前記遊技機の前面側と略同一平面状に位置する後退位置と、当該支持本体部の突出方向への移動により当該後退位置より突出した位置である突出位置とに変位し、当該後退位置および当該突出位置において押圧操作可能であり、
前記駆動部は、前記ボタン押圧部が突出位置に位置しているときに押圧操作された場合、当該押圧操作によって前記支持本体部を介して前記変換機構に作用する負荷の大きさが所定値を超えると、前記モータから前記変換機構への動力伝達を遮断することを特徴とするボタン操作機構。
【請求項２】
前記請求項１に記載のボタン操作機構を備えていることを特徴とする遊技機。
【発明の詳細な説明】
【技術分野】
【０００１】
本発明は、遊技機の前面側に押圧操作可能に設けられたボタン押圧部を備えるボタン操作機構及びこれを備える遊技機に関する。
【背景技術】
【０００２】
従来、遊技機の一種であるぱちんこ遊技機には、遊技盤の中央部に図柄変動表示装置が設けられ、遊技機の下部受皿にボタン押圧部が設けられたものがある（特許文献１参照）。この特許文献１に記載のぱちんこ遊技機は、図柄変動表示装置のリーチ状態時に上方へ突出して操作可能な状態にあるボタン押圧部が押されると、図柄変動表示装置に表示される図柄の変動パターンを変更して、遊技の多様性を高めることができる。
【０００３】
このボタン押圧部は、遊技機に設けられたケースに対して上下方向に突出入自在に設けられ、スプリングの附勢力によりボタン押圧部がケースから上方へ突出し、ボタン押圧部がケースに設けられた係合手段及びフランジのいずれかに当接すると、ボタン押圧部がケースから突出した状態に維持される。
【０００４】
ボタン押圧部の下端部には外側へ張り出すフランジが環状に設けられ、このフランジが設けられたボタン押圧部の側方には係合手段が配置されている。係合手段はボタン押圧部の側方からボタン押圧部に対して進退自在に設けられた係合片を有し、この係合片がボタン押圧部側に移動すると、スプリングによって上方へ附勢されたボタン押圧部のフランジが係合片に当接して、ボタン押圧部がケースから比較的短い長さで突出した状態でボタン押圧部の上方への移動が規制される。
【０００５】
フランジに当接した係合片がボタン押圧部から後退すると、ボタン押圧部の上方への移動規制が解除されて、ボタン押圧部はスプリングの附勢によってさらに上方へ突出する。
【０００６】
ケースの上端部にはケース内側へ張り出す張出部が環状に設けられている。この張出部は、スプリングの附勢により上方へ移動するボタン押圧部のフランジと当接すると、ボタン押圧部がケースから比較的長い長さで突出した状態でボタン押圧部の上方への移動を規制する。
【先行技術文献】
【特許文献】
【０００７】
【特許文献１】特開２００７−２９６０９０号公報（段落番号００１４、図４、図７参照）
【発明の概要】
【発明が解決しようとする課題】
【０００８】
このような従来のパチンコ遊技機では、スプリングによってボタン押圧部が附勢されてボタン押圧部の突出長さが短い状態から長い状態になるが、この押ボタンの突出動作は突飛なものではないので、ボタン押圧部の突出動作が遊技者に印象付けるものではない。このため、ボタン押圧部が操作可能な状態にあることをより強いインパクトで遊技者に伝えることが可能なボタン操作機構が望まれている。
【０００９】
そこで、ボタン押圧部をケースから突出入させる機構として、回転自在に支持された回転体の側面にカム溝を形成し、カム溝に係合する係合ピンをボタン押圧部に設け、モータによって回転体を回転させながらカム溝に沿って係合ピンを移動させてボタン押圧部をケースから突出入させる駆動部を有した機構を考えた場合、スプリング及び駆動部によってボタン押圧部を段階的に突出させることで、ボタン押圧部が操作可能な状態にあることをより強いインパクトで遊技者に伝えることができる。
【００１０】
しかしながら、この構造では、モータが駆動して回転体の回転時に、ボタン押圧部が大きな力で押圧操作されると、カム溝に係合する係合ピン等の駆動部が損傷し、またモータが停止する虞があるという課題が生じる。
【００１１】
本発明は、このような課題に応えるものであり、ボタン押圧部が大きな力で押圧操作された場合、カム溝に係合する係合ピン等の駆動部が損傷し、またモータが停止する虞のないボタン操作機構及びこれを備える遊技機を提供することを目的とする。
【課題を解決するための手段】
【００１２】
このような課題を解決するため、本発明は、遊技機の前面側に押圧操作可能に設けられたボタン押圧部を備えるボタン操作機構であって、ボタン押圧部は、押圧操作に応じて支持本体部に対して往復移動可能であり、支持本体部は、モータからの動力を受けて駆動する駆動部によって附勢されて遊技機から突出入する方向に移動し、駆動部は、モータから受ける回転運動を、支持本体部を遊技機に対して突出入方向に移動させる直線運動に変換する変換機構を有し、ボタン押圧部は、支持本体部の後退方向の移動により遊技機の前面側と略同一平面状に位置する後退位置と、支持本体部の突出方向への移動により後退位置より突出した位置である突出位置とに変位し、後退位置および突出位置において押圧操作可能であり、駆動部は、ボタン押圧部が突出位置に位置しているときに押圧操作された場合、押圧操作によって支持本体部を介して変換機構に作用する負荷の大きさが所定値を超えると、モータから前記変換機構への動力伝達を遮断することを特徴とする（請求項１）。
【００１３】
ボタン押圧部は、遊技者が押圧操作可能なものであればよく、遊技機に上下方向に配設されたものや、横方向に配設されたものでもよい。往復移動可能とは、例えば、遊技者がボタン押圧部を押圧操作すると、ボタン押圧部が押圧方向先端側へ移動し、押圧操作が解除されると、ボタン押圧部が元の位置に戻るように移動する場合をいう。
【００１４】
駆動部は、モータからの動力を受けて駆動して支持本体部を突出入方向に移動させるものであり、モータから受ける回転運動を、支持本体部を遊技機に対して突出入方向に移動させる直線運動に変換する変換機構を有する。変換機構は、具体的には、遊技機に回転可能に支持されてモータからの動力を受けて回転する回転体と、回転体の側面に設けられたカム溝と、支持本体部から張り出す張出部に設けられてカム溝内に挿入され、回転体の回転に伴ってカム溝に沿って移動して支持本体部を介してボタン押圧部を突出入させる係合ピンを有して構成される。
【００１５】
駆動部は、ボタン押圧部が押圧操作されて支持本体部を介して変換機構に作用する負荷の大きさが所定値を超えると、モータから変換機構への動力伝達を遮断する。具体的には、変換機構は、クラッチ機構を介してモータから動力が伝達され、クラッチ機構は、対向する一対のクラッチ部材を有し、一方のクラッチ部材は他方のクラッチ部材に対して離反可能に支持されるとともに、弾性手段（実施形態における圧縮コイルばね７５）によって他方のクラッチ部材側に附勢され、一対のクラッチ部材は、両クラッチ部材が互いに噛み合う歯部を有し、互いに噛み合う歯部の一方は、両クラッチ部材の回転方向に進むに従って他方の歯部を備えるクラッチ部材側に傾斜する傾斜面を有し、互いに噛み合う歯部の他方は、両クラッチ部材の回転方向と反対方向に進むに従って一方の歯部を備えるクラッチ部材側に傾斜する傾斜面を有してなる。
【００１６】
モータが駆動して変換機構が作動中にボタン押圧部が大きな力で押圧操作されて変換機構に負荷が作用した場合、一方のクラッチ部材の歯部の傾斜面に他方のクラッチ部材の歯部から負荷に応じた力を受け、この力の方向成分のうち他方のクラッチ部材から離反する方向の方向成分が、圧縮コイルばねの附勢力よりも大きい場合には、一方のクラッチ部材が回転するに伴って一方のクラッチ部材が他方のクラッチ部材から離反して一対のクラッチ部材の連結状態が解除される。
【００１７】
このように、変換機構に作用する負荷は、他方のクラッチ部材を介して一方のクラッチ部材を附勢するように作用する。このため、所定値とは、変換機構に作用する負荷と、歯部に設けられた傾斜面の角度と、他方のクラッチ部材を附勢する弾性手段の弾性係数等を考慮して決定される。
【００１８】
一対のクラッチ部材の連結状態が解除されると、他方のクラッチ部材はフリーな状態になり、ボタン操作部はこの押圧操作によって突入された状態になる。一方、モータもフリーな状態になってモータの回転が維持される。このため、ボタン操作部から負荷を受ける変換機構を有する駆動部が損傷する虞や、モータに大きな負荷が作用してモータが脱調等して停止する虞を未然に防止することができる。
【００１９】
このような請求項１に記載のボタン操作機構は遊技機に備えられる（請求項２）。遊技機は、ぱちんこ遊技機のような弾球遊技機の他に、スロットマシンでもよい。
【発明の効果】
【００２０】
本発明によれば、ボタン押圧部が突出位置に位置しているときに、押圧操作によってモータに大きな負荷が作用してモータが脱調等して停止する虞を未然に防止することが可能なボタン操作機構及びこれを備える遊技機を提供することができる。
【図面の簡単な説明】
【００２１】
【図１】本発明の一実施の形態に係わるボタン操作機構の背面側の斜視図を示す。
【図２】本発明の一実施の形態に係わるボタン操作機構が設けられた遊技機を示し、同図（ａ）は遊技機の斜視図であり、同図（ｂ）は遊技機の側面図である。
【図３】本発明の一実施の形態に係わるボタン操作機構が設けられた遊技機を示し、同図（ａ）は遊技機の斜視図であり、同図（ｂ）は遊技機の側面図である。
【図４】本発明の一実施の形態に係わるボタン操作機構を示し、同図（ａ）はボタン操作機構の平面図であり、同図（ｂ）はボタン操作機構の正面図であり、同図（ｃ）はボタン操作機構の左側面図であり、同図（ｄ）はボタン操作機構の背面図である。
【図５】本発明の一実施の形態に係わるボタン操作機構の分解斜視図を示す。
【図６】本発明に係わるボタン操作機構を示し、同図（ａ）はボタン操作機構の部分構造図であり、同図（ｂ）はクラッチ機構の拡大斜視図を示す。
【図７】ボタン操作機構を示し、同図（ａ）はボタン操作機構の正面側斜視図であり、同図（ｂ）はボタン操作機構の正面側内部構造図である。
【図８】本発明の一実施の形態に係わるボタン操作機構の動作説明図を示す。
【図９】本発明の一実施の形態に係わるボタン操作機構の動作説明図を示す。
【発明を実施するための形態】
【００２２】
以下、図面を用いて本発明を実施するための最良の形態を説明する。
【００２３】
図２（ａ）（斜視図）は遊技機１の下部に配置された受け皿ユニット３に設けられたボタン押圧部４１を有したボタン操作機構の構成例を示す。なお、遊技機１は、ぱちんこ機を例にして説明するが、遊技機１はぱちんこ機等の弾球遊技機に限るものではなく、スロットマシンでもよい。
【００２４】
初めに遊技機全体の説明をする。図２（ａ）及び図２（ｂ）に示すように、正面視矩形状の枠部材５の上側には、前面ガラス６が設けられ、前面ガラス６の後方側には図示しない図柄表示部、複数の入賞口等が設けられた遊技盤７が配設されている。前面ガラス６の下方の枠部材５には受け皿ユニット３が配設され、受け皿ユニット３の右側端部の下方の枠部材５には操作ハンドル８が配設されている。操作ハンドル８は枠部材５から遊技者側へ突出し、遊技球を発射させる際に遊技者によって操作される。
【００２５】
受け皿ユニット３の遊技者側の端部には上下方向に突出入して遊技者による操作を受け付けるボタン押圧部４１が配設されている。ボタン押圧部４１の操作は例えば遊技中における特定のリーチ演出に際し、ボタン押圧部４１の押圧操作を促すガイダンスが表示されている間有効となり、ボタン押圧部４１は受け皿ユニット３から上方へ突出した位置（後述する第２突出位置Ｐｕ２）に移動した状態になる。
【００２６】
このように構成された遊技機１に設けられたボタン押圧部４１を突出入させるボタン操作機構２０について説明する。ボタン操作機構２０は、図１（斜視図）に示すように、箱状に形成された枠体部２１と、枠体部２１の上部に配置されて上下方向に往復動可能に設けられたボタン押圧部４１を有するボタン操作部４０と、枠体部２１内に配設されてボタン押圧部４１を枠体部２１に対して突出入させる駆動部５０とを有してなる。
【００２７】
枠体部２１は、図４（ａ）〜図４（ｄ）、図５に示すように、矩形状の天板部２２と天板部２２の前側端部及び後側端部にねじ２５を介して取り付けられて下方へ延びる一対の側板部２３，２４を有してなる。一対の側板部２３，２４は矩形状をなして互いに対向配置され、一対の側板部２３，２４間に駆動部５０が収容されている。枠体部２１は、その幅方向両側端部と底面側端部が開口して箱状に形成されている。この枠体部２１の天板部２２にボタン押圧部４１が配置されている。
【００２８】
側板部２３の中央部には上下方向に延びる長孔２３ａが設けられている。この長孔２３ａは、後述する支持本体部４３の張出部４３ｂに設けられたピン４４（図７（ｂ）参照）を挿通して支持本体部４３を介してボタン押圧部４１の上下方向の往復移動を案内する。長孔２３ａの下方の側板部２３には孔部２３ｂが設けられ、この孔部２３ｂに後述する回転体５１（図７（ａ）参照）の軸部５２が挿通される。天板部２２の前側中央部には、張出部４３ｂを挿通するための挿通孔２３ｃが設けられている。
【００２９】
ボタン操作部４０は、上方からボタン押圧部４１，支持本体部４３、圧縮コイルばね４５を有して構成される。ボタン押圧部４１は、外形が円柱状に形成され、内部が中空であって下部が開口してキャップ状に形成される。ボタン押圧部４１は、その押圧方向先端側（下方）に配置された支持本体部４３の上部に往復動可能に挿着される。
【００３０】
支持本体部４３は、円柱状に形成されてボタン押圧部４１を挿入する挿入軸部４３ａと挿入軸部４３ａの下端から下方へ延びる張出部４３ｂを有してなる。挿入軸部４３ａは、ボタン押圧部４１を往復動自在に挿入可能な外径を有する。ボタン押圧部４１の内側空間部に圧縮コイルばね４２が挿入され、ボタン押圧部４１が挿入軸部４３ａに挿入されると、圧縮コイルばね４２はその上端部がボタン押圧部４１の頂部内面に接触し、下端部が挿入軸部４３ａの上面に接触した状態となる。この状態でボタン押圧部４１が下方に押圧操作されると、ボタン押圧部４１は圧縮コイルばね４２の附勢に抗して下方へ移動し、ボタン押圧部４１の押圧操作が解除されると、圧縮コイルばね４２が伸長してボタン押圧部４１が元の位置に戻る。
【００３１】
張出部４３ｂは円柱状に形成され、挿入軸部４３ａの中心軸線と略同軸上に延びる。張出部４３ｂは挿入軸部４３ａよりも小径に形成されている。このため、挿入軸部４３ａの下端と張出部４３ｂの上端部との間には環状の段部４３ｃが形成されている。この段部４３ｃは、後述する圧縮コイルばね４５の弁座として機能する。
【００３２】
張出部４３ｂの前側の側面の下側には上下方向に所定の間隔を有して突出した一対のピン４４（図７（ｂ）参照）が設けられている。これらのピン４４は、側板部２３に設けられた長孔２３ａに沿って移動して支持本体部４３を介してボタン押圧部４１の上下往復移動を案内する。ピン４４の先端部には止め輪４４ａが装着されてピン４４の長孔２３ａからの抜脱を防止している。
【００３３】
張出部４３ｂの後側の側面の下側には係合ピン４６（図７（ｂ）参照）が突設されている。この係合ピン４６は、駆動部５０の回転体５１に設けられた後述するカム溝５３（図７（ａ）、図７（ｂ）参照）に係合し、回転体５１の回転に伴って支持本体部４３を介してボタン押圧部４１を上下方向に往復移動させる。
【００３４】
支持本体部４３は、その張出部４３ｂに圧縮コイルばね４５が挿着された状態で天板部２２に設けられた挿通孔２３ｃの上方から張出部４３ｂが挿通され、挿通孔２３ｃから延出する張出部４３ｂの下側にピン４４及び係合ピン４６が設けられる。圧縮コイルばね４５は、ばね座として機能する段部４３ｃと天板部２２との間に配置され、ボタン押圧部４１が下方へ押圧操作されると、圧縮コイルばね４５が縮小してボタン押圧部４１の下方への移動に抗して附勢し、ボタン押圧部４１の押圧操作がなくなると、圧縮コイルばね４５は伸長してボタン押圧部４１を上方へ移動させる。圧縮コイルばね４５は、自然状態に戻ったときの長さが張出部４３ｂの上下方向の長さよりも短いように構成される。このため、圧縮コイルばね４５が自然状態に戻っても、張出部４３ｂは挿通孔２３ｃから下方へ延出した状態にある。このため、後述する駆動部５０によって支持本体部４３を介してボタン押圧部４１を上方へさらに移動させることができる。
【００３５】
駆動部５０は、一対の側板部２３，２４間に回転自在に支持された回転体５１と、張出部４３ｂに設けられた前述した係合ピン４６と、回転体５１の側面に設けられ、係合ピン４６と係合してボタン押圧部４１の上下方向の移動を案内するカム溝５３と、回転体５１を回転駆動させるモータ５８と、モータ５８からの動力を回転体５１に伝達する動力伝達機構６０とを有してなる。なお、係合ピン４６、回転体５１、カム溝５３を併せて以下、変換機構５５（図７（ｂ）参照）と記す。
【００３６】
回転体５１は円板状に形成され、その回転中心は偏心した位置にあり、この偏心位置に軸部５２が挿着されている。回転体５１は、軸部５２に対して回転自在に支持され、回転体５１が軸部５２に支持された状態で、回転体５１の前側の側面５１ａ（図７（ｂ）参照）が係合ピン４６に対向するように配置されている。回転体５１の後側の側面５１ｂには、動力伝達機構６０の一部である従動ギヤ６１（図６参照）が回転体５１と一体的に設けられている。従動ギヤ６１は軸部５２と同軸上に配置されている。軸部５２は回転体５１及び従動ギヤ６１を貫通し、軸部５２の前側端部は前側の側板２３に支持され、後側の端部は後側の側板２４に支持される。
【００３７】
従動ギヤ６１の上方には、天板部２２の裏面に接続されて下方へ張り出す支持板２７に回転自在に支持されて従動ギヤ６１と歯合する駆動ギヤ６３（図６参照）が配設されている。駆動ギヤ６３の回転体５１と反対側の側面にはクラッチ機構の一方側を構成するクラッチ部材６５（図６参照）が駆動ギヤ６３に一体的に設けられている。駆動ギヤ６３は、動力伝達機構６０の一部であり、従動ギヤ６１の軸部５２と平行に延びて支持板２７に装着される軸部６４に回転自在に支持される。
【００３８】
クラッチ部材６５は円柱状に形成され、その先端部の周縁部には、図６（ｂ）（部分拡大図）に示すように、クラッチ部材６５の回転中心から放射状に延びる歯部６５ｂが周方向に連続的に設けられている。クラッチ部材６６の歯部６６ｂに噛み合う歯部６５ｂは、両クラッチ部材６５，６６の回転方向（矢印Ａ方向）と反対方向に進むに従ってクラッチ部材６６側に傾斜する傾斜面６５ｃを有して、歯部６５ｂは側面視において三角状に形成されている。このクラッチ部材６５はこれと対向する他方側のクラッチ部材６６と噛み合って、モータ５８の動力が駆動ギヤ６３に伝達される。歯部６５ｂの形状に関するクラッチ部材６５の動作については後述する。
【００３９】
一方側（駆動ギヤ側）のクラッチ部材６５は、図４（ａ）〜図４（ｄ）、図５に示すように、駆動ギヤ６３が枠体部２１に支持された状態で側板部２４に設けられた挿通孔２４ａの内側から外側に挿通されて、クラッチ部材６５の歯部６５ｂが側板部２４の外側に位置している。
【００４０】
他方側（モータ側）のクラッチ部材６６は側板２４の外側に配設されたモータ５８の軸部５８ａに取り付けられた軸部材６９を介して設けられている。モータ側のクラッチ部材６６は駆動ギヤ側のクラッチ部材６５と同様の構成をし、その先端部に放射状に延びる歯部６６ｂ（図６（ｂ）参照）が周方向に連続して設けられている。歯部６５ｂに噛み合う歯部６６ｂは、両クラッチ部材６５、６６の回転方向（矢印Ａ方向）に進むに従ってクラッチ部材６５側に傾斜する傾斜面６６ｃを有して側面視において三角状に形成されている。
【００４１】
軸部材６９は、モータ５８の軸部５８ａに取り付けられる大径部６９ａと、大径部６９ａから突出して大径部６９ａよりも小径な小径部６９ｂを有してなる（図５参照）。大径部６９ａの小径部側と反対側の端面にはモータ５８の軸部５８ａを挿入する挿入穴部が設けられている。小径部６９ｂはモータ側のクラッチ部材６６の中心部に設けられた孔部６６ａに挿入され、小径部６９ｂの先端部に止め輪７０が装着されて、モータ側のクラッチ部材６６が軸部材６９から抜脱されるのを規制している。
【００４２】
モータ５８の軸部５８ａは、軸部材６９に挿入された状態で大径部６９ａに螺合する止めねじ７１によって大径部６９ａに締結される。大径部６９ａの小径部６９ｂ側と反対側の端部には外側に張り出す環状の突出部６９ｃが形成されている。この突出部６９ｃは後述する圧縮コイルばね７５のばね座として機能する。
【００４３】
モータ側のクラッチ部材６６と軸部材６９の突出部６９ｃとの間には圧縮コイルばね７５が圧縮状態で挿入されている。このため、モータ側のクラッチ部材６６は圧縮コイルばね７５によって軸部材６９の先端側に常に附勢された状態にある。
【００４４】
モータ５８は、ステッピングモータであり、ボタン押圧部４１が圧縮コイルばね４５によって受け皿ユニット３（図２（ａ）参照）に対して上方へ突出した状態（図８（ｂ−１）参照）からさらに上方へ突出させる状態（図８（ｂ−５）参照）にする場合や、ボタン押圧部４１を受け皿ユニット側に後退させる状態（図８（ａ）参照）にする場合に駆動する。ボタン押圧部４１を受け皿ユニット３に対して最も上方に突出した位置（図８（ｂ−５）に示す第２突出位置Ｐｕ２参照）に移動させるには、圧縮コイルばね４５によってボタン押圧部４１が上方へ突出された状態時のモータ５８の軸部５８ａの位置に対して、ボタン押圧部４１が第２突出位置Ｐｕ２に移動したときのモータ５８の軸部５８ａの回転量を設定し、その設定量に達したときにモータ５８への電力供給を停止するようにする。
【００４５】
また、第２突出位置Ｐｕ２からボタン押圧部４１を受け皿ユニット側に退避させて、ボタン押圧部４１の上面が受け皿ユニット３の上面と略同一平面上に位置（図８（ａ）に示す後退位置Ｐｄ参照）するようにボタン押圧部４１を移動させるには、ボタン押圧部４１が第２突出位置Ｐｕ２に移動したときのモータ５８の軸部５８ａの位置に対して、ボタン押圧部４１が後退位置Ｐｄに移動したときのモータ５８の軸部５８ａの回転量を設定し、その設定量に達したときにモータ５８への電力供給を停止するようにする。
【００４６】
モータ５８は、枠体部２１の一方側の側板部２４に設けられた保持部材７７に取り付けられている。保持部材７７は、平面視においてコ字状に形成されて、モータ５８を取り付ける取付板部７８と、取付板部７８の両側から側板部側へ延びる板状の一対の脚部７９を有してなる。取付板部７８には、モータ５８の軸部５８ａやモータ５８を締結するねじ８０を挿通するための孔部８１が複数設けられ、この孔部８１に螺合するねじ８０によってモータ５８が取付板部７７に取り付けられている。脚部７９の先端部には外側へ張り出すフランジ部７９ａが形成され、このフランジ部７９ａに挿通されたねじ８０によってフランジ部７９ａが側板部２４に締結されて、保持部材７７が側板部２４に取り付けられている。
【００４７】
このようにモータ５８が取り付けられた保持部材７７を側板部２４に取り付けると、モータ側に取り付けられたモータ側のクラッチ部材６６は、圧縮コイルばね７５によって駆動ギヤ側のクラッチ部材６５に附勢された状態で接合する。このため、モータ５８が駆動すると、モータ５８の動力は一対のクラッチ部材６５，６６を介して駆動ギヤ６３に伝達され、従動ギヤ６１を介して回転体５１が回転する。
【００４８】
この回転する回転体５１の側面５１ａに係合ピン４６と係合するカム溝５３が設けられている。カム溝５３は、図８（ｂ−１）、図９（ｂ−１）に示すように、回転体５１の回転時にボタン押圧部４１の突出側への移動方向と略同一方向に延びて圧縮コイルばね４５の附勢によって支持本体部４３を介してボタン押圧部４１を突出側へ移動させるばね突出溝部５３ａと、回転体５１の回転に伴って回転体５１の回転中心Ｏから半径方向の距離が暫時大きくなるように延びるとともに、ばね突出溝部５３ａの回転体径方向外側端部に連続的に繋がるカム突出溝部５３ｂと、回転体５１の回転に伴って回転体５１の回転中心Ｏから半径方向の距離が暫時小さくなるように延びるとともに、カム突出溝部５３ｂの端部に連続的に繋がるカム突入溝部５３ｃとを有してなる。
【００４９】
このように構成されたカム溝５３を有した回転体５１は、図８（ａ）及び図９（ａ）に示すように、ボタン押圧部４１の上面が受け皿ユニット３の上面と略同一平面上に位置（後退位置Ｐｄ）している状態で、矢印Ａ方向に回転すると、ばね突出溝部５３ａがボタン押圧部４１の突出側への移動方向と略同一方向に延びるにともない、圧縮コイルばね４５の附勢によって支持本体部４３ｂを介してボタン押圧部４１が上方へ突出する（図８（ｂ−１）、図９（ｂ−１）参照）。ボタン押圧部４１が圧縮コイルばね４５の附勢によって上方へ突出したときのボタン押圧部４１の位置を第１突出位置Ｐｕ１と記す。
【００５０】
なお、図８（ａ）及び図９（ａ）に示すように、係合ピン４６がばね突出溝部５３ａとカム突入溝部５３ｃの接続部分に移動すると、ボタン押圧部４１は後退位置Ｐｄに移動して圧縮コイルばね４５は全縮状態になる。ボタン押圧部４１が後退位置Ｐｄに移動したときの圧縮コイルばね４５は全縮状態に限るものではなく、僅かに伸長した状態でもよい。
【００５１】
このように、回転体５１の矢印Ａ方向の回転に伴ってばね突出溝部５３ａがボタン押圧部４１の突出側への移動方向と略同一方向に延びると、圧縮コイルばね４５の附勢によってボタン押圧部４１は上方へ突出して第１突出位置Ｐｕ１に移動する（図８（ｂ−１）、図９（ｂ−１）参照）。ここで、図９（ｂ−１）に示すように、係合ピン４６がばね突出溝部５３ａの上端部に移動すると、圧縮コイルばね４５は自然状態（自然長）に戻る。このため、圧縮コイルばね４５によるボタン押圧部４１への附勢が無くなった状態で、ボタン押圧部４１の移動は停止する。なお、係合ピン４６がばね突出溝部５３ａの上端部に移動したときの圧縮コイルばね４５は自然状態に限るものではなく、僅かに縮小した状態でもよい。
【００５２】
係合ピン４６がばね突出溝部５３ａの上端部に移動した状態で回転体５１がさらに矢印Ａ方向に回転すると、図８（ｂ−２〜５）及び図９（ｂ−５）に示すように、係合ピン４６はカム突出溝部５３ｂ内を移動する。その結果、ボタン押圧部４１は支持本体部４３を介して第１突出位置Ｐｕ１よりさらに突出し、係合ピン４６がカム突出溝部５３ｂとカム突入溝部５３ｃの接続部分に移動すると、ボタン押圧部４１は受け皿ユニット３から最も突出した第２突出位置Ｐｕ２に移動する（図８（ｂ−５）及び図９（ｂ−５）参照）。このように、ボタン押圧部４１は圧縮コイルばね４５と駆動部５０によって、受け皿ユニット３に対して段階的に突出する。このため、ボタン操作部４０が押圧操作可能な状態にあることをより強いインパクトで遊技者に伝えることができる。
【００５３】
係合ピン４６がカム突出溝部５３ｂとカム突入溝部５３ｃの接続部分に移動した状態で回転体５１がさらに矢印Ａ方向に回転すると、図８（ｃ−１〜３）及び図９（ｃ−２）に示すように、係合ピン４６はカム突入溝部５３ｃ内を移動する。その結果、ボタン押圧部４１は受け皿ユニット３に対して突入する方向に移動し、係合ピン４６がカム突入溝部５３ｃとばね突出溝部５３ａとの接続部分に移動すると（図８（ａ）参照）、前述したようにボタン押圧部４１上面が受け皿ユニット３の上面と略同一平面上に位置する後退位置Ｐｄに移動する。
【００５４】
なお、係合ピン４６がカム突入溝部５３ｃの図９（ｃ−２）に示す位置に移動すると、ボタン押圧部４１の挿入軸部４３ａの下面が自然長に戻った圧縮コイルばね４５の上端部に接した状態になる。このため、この状態で回転体５１が矢印Ａ方向にさらに回転して、ボタン押圧部４１が突入方向へ移動するのに伴って圧縮コイルばね４５が圧縮されると、係合ピン４６がカム突入溝部５３ｃの側面を附勢して回転体５１の回転に対して負荷を作用させることになる。
【００５５】
このため、図６（ａ）及び図６（ｂ）に示すように、歯合状態にある一対のクラッチ部材６５，６６のうちのモータ側のクラッチ部材６６に負荷に対応した制動トルクが作用する。しかしながら、この制動トルクがモータ側のクラッチ部材６６に作用しても、クラッチ部材６６は前述したように圧縮コイルばね７５によって駆動ギヤ側のクラッチ部材６５に附勢されているので、制動トルクの大きさが比較的に小さい場合には、モータ側のクラッチ部材６６が駆動ギヤ側のクラッチ部材６５から離反することはなく、一対のクラッチ部材６５，６６の連結状態が維持される。つまり、モータ側のクラッチ部材６６を附勢する圧縮コイルばね７５や傾斜面は、前述した制動トルクの大きさが比較的に小さいときに、一対のクラッチ部材６５，６６が連結状態に維持されるように設計されている。
【００５６】
ただし、モータ５８が駆動して回転体５１が回転中にボタン操作部４０が大きな力で押圧された場合には、回転体５１に作用する負荷に応じた制動トルクがモータ側のクラッチ部材６６に作用し、モータ側のクラッチ部材６６の歯部６６ｂの傾斜面６６ｃ（図６（ｂ）参照）に制動トルクに応じた力が作用する。この力のうちモータ側のクラッチ部材６６が駆動ギヤ側のクラッチ部材６５から離反する方向の方向成分が圧縮コイルばね７５の附勢力よりも大きい場合には、モータ側のクラッチ部材６６が回転するに伴って駆動ギヤ側のクラッチ部材６５から離反する。その結果、一対のクラッチ部材６５，６６の連結状態が解除される。
【００５７】
このため、駆動ギヤ側のクラッチ部材６５はフリーな状態になり、ボタン操作部４０の押圧操作によって回転体５１が回転し、ボタン操作部４０は受け皿ユニットに後退した後退位置Ｐｄに移動する（図９（ａ）参照）。一方、モータ５８もフリーな状態になってモータ５８の回転が維持される。このため、ボタン操作部４０に設けられた係合ピン４６等の変換機構５５を有した駆動部５０が損傷する虞や、モータ４０に大きな負荷が作用してモータ４０が脱調等して停止する虞を未然に防止することができる。
【符号の説明】
【００５８】
１  遊技機
２０  ボタン操作機構
４１  ボタン押圧部
４３  支持本体部
５０  駆動部
５５  変換機構
５８  モータ
６５、６６  クラッチ部材
６５ｂ、６６ｂ  歯部
６５ｃ、６６ｃ  傾斜面
７５  圧縮コイルばね（弾性手段）
【図１】
0005536484.tif 000002
【図２】
0005536484.tif 000003
【図３】
0005536484.tif 000004
【図４】
0005536484.tif 000005
【図５】
0005536484.tif 000006
【図６】
0005536484.tif 000007
【図７】
0005536484.tif 000008
【図８】
0005536484.tif 000009
【図９】
0005536484.tif 000010